(57)【要約】【課題】十分な盗難抑止効果を有する紙幣処理機および紙幣収納箱の提供。【解決手段】筐体１２と、筐体１２内に対し出し入れされる紙幣収納箱１３とを有して紙幣の取り引きを行うものであって、異常発生時に紙幣収納箱１３内に収納された紙幣に焦げ跡を付ける焦げ跡形成手段２１を有することで、異常発生時にスタッカ１３内の紙幣に焦げ跡を付ける。その結果、その紙幣を使用しようとした場合に焦げ跡があることになり、盗難紙幣であることが容易に見分けられることになる。したがって、このような紙幣は盗んでも使用できないことから、盗難自体が意味のないものとなり抑止される。【選択図】        図１
2004355270.tif 000002
【特許請求の範囲】
【請求項１】
筐体と、該筐体に対し出し入れされる紙幣収納箱とを有して紙幣の取り引きを行う紙幣処理機において、
前記紙幣収納箱内に収納された紙幣に異常発生時に焦げ跡を付ける焦げ跡形成手段を有することを特徴とする紙幣処理機。
【請求項２】
前記筐体の一部に開閉可能に設けられ開状態にあるとき前記紙幣収納箱を前記筐体に対し出し入れ可能とする筐体開閉手段と、該筐体開閉手段を閉状態で施錠する施錠手段とを有し、
前記焦げ跡形成手段は、前記筐体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記筐体開閉手段の開放時に前記施錠手段が施錠解除状態になければ異常発生と判定して前記紙幣収納箱内に収納された紙幣に焦げ跡を付けることを特徴とする請求項１記載の紙幣処理機。
【請求項３】
前記焦げ跡形成手段は、前記筐体の設置後の移動量を検出する移動量検出手段を有し、該移動量検出手段により前記筐体の設置後の移動量が所定量以上になったことが検出されると異常発生と判定して前記紙幣収納箱内に収納された紙幣に焦げ跡を付けることを特徴とする請求項１または２記載の紙幣処理機。
【請求項４】
前記焦げ跡形成手段は、前記移動量検出手段の作動および作動停止を切り換える作動切換手段を有することを特徴とする請求項３記載の紙幣処理機。
【請求項５】
停電時に前記焦げ跡形成手段に電力を供給するバッテリを内蔵していることを特徴とする請求項１乃至４のいずれか一項記載の紙幣処理機。
【請求項６】
前記バッテリに商用電源からの電力を充電する充電手段を有することを特徴とする請求項５記載の紙幣処理機。
【請求項７】
前記焦げ跡形成手段は、前記紙幣収納箱内に収納された紙幣のそれぞれに対し複数の位置に焦げ跡を付けることを特徴とする請求項１乃至６のいずれか一項記載の紙幣処理機。
【請求項８】
前記焦げ跡形成手段は、前記紙幣収納箱内に収納された紙幣のそれぞれに対し異なる複数の端縁部に焦げ跡を付けることを特徴とする請求項７記載の紙幣処理機。
【請求項９】
前記焦げ跡形成手段は、
前記紙幣収納箱内に収納されたすべての紙幣と接触可能な位置に配置され電力により発熱する加熱部材と、
通常前記加熱部材に対し給電せず、前記異常発生と判定されると前記加熱部材に対し給電する制御手段とを有することを特徴とする請求項１乃至８のいずれか一項記載の紙幣処理機。
【請求項１０】
紙幣が出し入れされる箱体を有する紙幣収納箱において、前記箱体内に収納された紙幣に異常発生時に焦げ跡を付ける焦げ跡形成手段を有することを特徴とする紙幣収納箱。
【請求項１１】
前記箱体の一部に開閉可能に設けられ開状態にあるとき紙幣を前記箱体に対し出し入れ可能とする箱体開閉手段と、該箱体開閉手段を閉状態で施錠する施錠手段とを有し、
前記焦げ跡形成手段は、前記箱体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記箱体開閉手段の開放時に前記施錠手段が施錠解除状態になければ異常発生と判定して前記箱体内に収納された紙幣に焦げ跡を付けることを特徴とする請求項１０記載の紙幣収納箱。
【請求項１２】
停電時に前記焦げ跡形成手段に電力を供給するバッテリを内蔵していることを特徴とする請求項１０または１１記載の紙幣収納箱。
【請求項１３】
前記バッテリに商用電源からの電力を充電する充電手段を有することを特徴とする請求項１２記載の紙幣収納箱。
【請求項１４】
前記焦げ跡形成手段は、前記箱体内に収納された紙幣のそれぞれに対し複数の位置に焦げ跡を付けることを特徴とする請求項１０乃至１３のいずれか一項記載の紙幣収納箱。
【請求項１５】
前記焦げ跡形成手段は、前記箱体内に収納された紙幣のそれぞれに対し異なる複数の端縁部に焦げ跡を付けることを特徴とする請求項１４記載の紙幣収納箱。
【請求項１６】
前記焦げ跡形成手段は、
前記箱体内に収納されたすべての紙幣と接触可能な位置に配置され電力により発熱する加熱部材と、
通常前記加熱部材に対し給電せず、前記異常発生と判定されると前記加熱部材に対し給電する制御手段とを有することを特徴とする請求項１０乃至１５のいずれか一項記載の紙幣収納箱。
【発明の詳細な説明】
【０００１】
【発明の属する技術分野】
本発明は、盗難抑止に効果を発揮する紙幣処理機および紙幣収納箱に関する。
【０００２】
【従来の技術】
現金取扱機と現金管理センタとの間で現金収納箱を現金輸送車で輸送する際に、万一現金収納箱が盗難にあった場合に、これを直ちに報知する現金輸送システムがある（例えば、特許文献１参照）。
【０００３】
【特許文献１】
特開平９−２１８９８８号公報
【０００４】
【発明が解決しようとする課題】
上記公報の技術は現金輸送車または現金取扱機から不正に現金収納箱が抜き取られると、硬貨収納箱自体がブザー音を発生させて周囲に盗難があったことを報知するものであるが、例えば人通りが少ない場所や人通りが少ない時間帯においてはブザー音を発生させても効果が十分でない場合があった。また、現金取扱機ごと持ち去ってからブザー音が発生しても問題ない場所で解体される場合に対しても効果が十分とは言えない。
【０００５】
したがって、本発明は、十分な盗難抑止効果を有する紙幣処理機および紙幣収納箱の提供を目的とする。
【０００６】
【課題を解決するための手段】
上記目的を達成するために、請求項１に係る発明は、筐体と、該筐体に対し出し入れされる紙幣収納箱とを有して紙幣の取り引きを行う紙幣処理機において、前記紙幣収納箱内に収納された紙幣に異常発生時に焦げ跡を付ける焦げ跡形成手段を有することを特徴としている。
【０００７】
これにより、異常発生時に焦げ跡形成手段が紙幣収納箱内に収納された紙幣に焦げ跡を付けることになるため、その後は、この焦げ跡から盗難紙幣であることが容易に見分けられることになる。
【０００８】
請求項２に係る発明は、請求項１に係る発明において、前記筐体の一部に開閉可能に設けられ開状態にあるとき前記紙幣収納箱を前記筐体に対し出し入れ可能とする筐体開閉手段と、該筐体開閉手段を閉状態で施錠する施錠手段とを有し、前記焦げ跡形成手段は、前記筐体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記筐体開閉手段の開放時に前記施錠手段が施錠解除状態になければ異常発生と判定して前記紙幣収納箱内に収納された紙幣に焦げ跡を付けることを特徴としている。
【０００９】
筐体開閉手段が不正に開放されると、施錠手段が施錠解除状態にはないことから、開閉状態検出手段で筐体開閉手段の開状態が検出されかつ施錠状態検出手段で施錠手段の施錠状態が検出され、これにより、焦げ跡形成手段が異常発生と判定して紙幣収納箱内に収納された紙幣に焦げ跡を付けることになる。
【００１０】
請求項３に係る発明は、請求項１または２に係る発明において、前記焦げ跡形成手段は、前記筐体の設置後の移動量を検出する移動量検出手段を有し、該移動量検出手段により前記筐体の設置後の移動量が所定量以上になったことが検出されると異常発生と判定して前記紙幣収納箱内に収納された紙幣に焦げ跡を付けることを特徴としている。
【００１１】
これにより、筐体ごと持ち去られるような事態が生じた場合に、移動量検出手段によって検出される筐体の設置後の移動量が所定量以上になり、焦げ跡形成手段が異常発生と判定して紙幣収納箱内に収納された紙幣に焦げ跡を付けることになる。
【００１２】
請求項４に係る発明は、請求項３に係る発明において、前記焦げ跡形成手段は、前記移動量検出手段の作動および作動停止を切り換える作動切換手段を有することを特徴としている。
【００１３】
これにより、作動切換手段によって移動量検出手段を作動停止させておけば、焦げ跡形成手段は筐体の設置後の移動量が所定量以上になっても異常発生と判定しないことになる。よって、筐体の正規の移動時に焦げ跡形成手段が異常発生と判定して紙幣収納箱内に収納された紙幣に焦げ跡を付けてしまうことを防止できる。
【００１４】
請求項５に係る発明は、請求項１乃至４のいずれか一項に係る発明において、停電時に前記焦げ跡形成手段に電力を供給するバッテリを内蔵していることを特徴としている。
【００１５】
これにより、停電時においても、内蔵されたバッテリから焦げ跡形成手段に電力を供給することができるため、異常発生時に紙幣収納箱内に収納された紙幣に焦げ跡を付けることができる。
【００１６】
請求項６に係る発明は、請求項５に係る発明において、前記バッテリに商用電源からの電力を充電する充電手段を有することを特徴としている。
【００１７】
このように、バッテリに商用電源からの電力を充電する充電手段を有するため、バッテリを常に満充電状態に維持しておくことが可能となる。
【００１８】
請求項７に係る発明は、請求項１乃至６のいずれか一項に係る発明において、前記焦げ跡形成手段は、前記紙幣収納箱内に収納された紙幣のそれぞれに対し複数の位置に焦げ跡を付けることを特徴としている。
【００１９】
このように、焦げ跡形成手段が紙幣収納箱内に収納された紙幣のそれぞれに対し複数の位置に焦げ跡を付けるため、焦げ跡の位置が特徴的となって、盗難紙幣であることがさらに容易に見分けられることになる。
【００２０】
請求項８に係る発明は、請求項７に係る発明において、前記焦げ跡形成手段は、前記紙幣収納箱内に収納された紙幣のそれぞれに対し異なる複数の端縁部に焦げ跡を付けることを特徴としている。
【００２１】
このように、焦げ跡形成手段が紙幣収納箱内に収納された紙幣のそれぞれに対し異なる複数の端縁部に焦げ跡を付けるため、焦げ跡をより視認しやすくなり、盗難紙幣であることがさらに容易かつ確実に見分けられることになる。
【００２２】
請求項９に係る発明は、請求項１乃至８のいずれか一項に係る発明において、前記焦げ跡形成手段は、前記紙幣収納箱内に収納されたすべての紙幣と接触可能な位置に配置され電力により発熱する加熱部材と、通常前記加熱部材に対し給電せず、前記異常発生と判定されると前記加熱部材に対し給電する制御手段とを有することを特徴としている。
【００２３】
これにより、通常時は、焦げ跡形成手段の制御手段が加熱部材に給電しないため、加熱部材は発熱せず、よって紙幣収納箱内の紙幣に焦げ跡が付けられることはない。一方、異常発生時は、焦げ跡形成手段の制御手段が加熱部材に給電することになるため、加熱部材が発熱し、よって紙幣収納箱内の紙幣に焦げ跡が付けられることになる。このように、簡素な構成で異常発生時に焦げ跡を紙幣収納箱内の紙幣に付けることができる。
【００２４】
請求項１０に係る発明は、紙幣が出し入れされる箱体を有する紙幣収納箱において、前記箱体内に収納された紙幣に異常発生時に焦げ跡を付ける焦げ跡形成手段を有することを特徴としている。
【００２５】
これにより、異常発生時には焦げ跡形成手段が箱体内に収納された紙幣に焦げ跡を付けることになるため、その後は、この焦げ跡から盗難紙幣であることが容易に見分けられることになる。
【００２６】
請求項１１に係る発明は、請求項１０に係る発明において、前記箱体の一部に開閉可能に設けられ開状態にあるとき紙幣を前記箱体に対し出し入れ可能とする箱体開閉手段と、該箱体開閉手段を閉状態で施錠する施錠手段とを有し、前記焦げ跡形成手段は、前記箱体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記箱体開閉手段の開放時に前記施錠手段が施錠解除状態になければ異常発生と判定して前記箱体内に収納された紙幣に焦げ跡を付けることを特徴としている。
【００２７】
箱体開閉手段が不正に開放されると、施錠手段が施錠解除状態にはないことから、開閉状態検出手段で箱体開閉手段の開状態が検出されかつ施錠状態検出手段で施錠手段の施錠状態が検出され、これにより、焦げ跡形成手段が異常発生と判定して箱体内に収納された紙幣に焦げ跡を付けることになる。
【００２８】
請求項１２に係る発明は、請求項１０または１１に係る発明において、停電時に前記焦げ跡形成手段に電力を供給するバッテリを内蔵していることを特徴としている。
【００２９】
これにより、停電時においても、内蔵されたバッテリから焦げ跡形成手段に電力を供給することができるため、異常発生時に箱体内に収納された紙幣に焦げ跡を付けることができる。
【００３０】
請求項１３に係る発明は、請求項１２に係る発明において、前記バッテリに商用電源からの電力を充電する充電手段を有することを特徴としている。
【００３１】
このように、バッテリに商用電源からの電力を充電する充電手段を有するため、バッテリを常に満充電状態に維持しておくことが可能となる。
【００３２】
請求項１４に係る発明は、請求項１０乃至１３のいずれか一項に係る発明において、前記焦げ跡形成手段は、前記箱体内に収納された紙幣のそれぞれに対し複数の位置に焦げ跡を付けることを特徴としている。
【００３３】
このように、焦げ跡形成手段が箱体内に収納された紙幣のそれぞれに対し複数の位置に焦げ跡を付けるため、焦げ跡が特徴的となって、盗難紙幣であることがさらに容易に見分けられることになる。
【００３４】
請求項１５に係る発明は、請求項１４に係る発明において、前記焦げ跡形成手段は、前記箱体内に収納された紙幣のそれぞれに対し異なる複数の端縁部に焦げ跡を付けることを特徴としている。
【００３５】
このように、焦げ跡形成手段が紙幣収納箱内に収納された紙幣のそれぞれに対し異なる複数の端縁部に焦げ跡を付けるため、焦げ跡をより視認しやすくなり、盗難紙幣であることがさらに容易かつ確実に見分けられることになる。
【００３６】
請求項１６に係る発明は、請求項１０乃至１５のいずれか一項に係る発明において、前記焦げ跡形成手段は、前記箱体内に収納されたすべての紙幣と接触可能な位置に配置され電力により発熱する加熱部材と、通常前記加熱部材に対し給電せず、前記異常発生と判定されると前記加熱部材に対し給電する制御手段とを有することを特徴としている。
【００３７】
これにより、通常時は、焦げ跡形成手段の制御手段が加熱部材に給電しないため、加熱部材は発熱せず、よって箱体内の紙幣に焦げ跡が付けられることはない。一方、異常発生時は、焦げ跡形成手段の制御手段が加熱部材に給電することになるため、加熱部材が発熱し、よって箱体内の紙幣に焦げ跡が付けられることになる。このように、簡素な構成で異常発生時に焦げ跡を箱体内の紙幣に付けることができる。
【００３８】
【発明の実施の形態】
本発明の一実施形態を図面を参照して以下に説明する。
紙幣処理機１１は、図示せぬ商用電源に接続され主にこの商用電源からの給電で作動するもので、一括投入されたバラ紙幣を識別計数して入金させて収納する入金取引を行う一方、収納している紙幣を指示された枚数出金させる出金取引を行うものである。
【００３９】
紙幣処理機１１は、図１に示すように、筐体１２と、筐体１２内に装填されて金種別に紙幣を収納する１台以上具体的には３台のスタッカ（紙幣収納箱）１３とを有している。ここで、スタッカ１３は筐体１２内の所定の載置部１４にそれぞれ載置されることになり、この状態で前後方向に配列される。
【００４０】
紙幣処理機１１の筐体１２は、その側面側である一部に開閉可能な扉体１６（筐体開閉手段）が設けられており、複数のスタッカ１３は、それぞれ、扉体１６が開状態にあるときに筐体１２内に対し出し入れされることになる。この扉体１６とこの扉体１６を除く筐体１２の筐体本体１７とには、扉体１６が閉状態にあるとき、これらとは別体の施錠キー１８の嵌合回動動作により扉体１６を筐体本体１７に対し固定する施錠状態と固定解除して開作動可能にする施錠解除状態とに切換可能な施錠機構部（施錠手段）１９が設けられている。つまり、扉体１６は閉状態で施錠キー１８および施錠機構部１９によって施錠および施錠解除可能に設けられている。なお、施錠キー１８および施錠機構部１９が、扉体１６を施錠する施錠回動位置にあるときは、施錠キー１８が施錠状態にある施錠機構部１９から引き抜き可能とされており、施錠キー１８および施錠機構部１９が、扉体１６の施錠を解除する施錠解除回動位置にあるときは、施錠キー１８が施錠解除状態にある施錠機構部１９から引き抜き不可とされている。さらに、施錠キー１８および施錠機構部１９が回動途中にあるときも、施錠キー１８が施錠機構部１９から引き抜き不可とされている。
【００４１】
図２および図３に示すように、各スタッカ１３は、上下方向に長い箱体３６を有しており、箱体３６には、厚さ方向を上下方向に向けた状態の紙幣Ｓが多数、上下方向に集積された状態で装填されることになる。ここで、箱体３６には集積紙幣Ｓの四方の各端縁部を案内するためのガイド側板３７が設けられている。また、箱体３６の上部には、紙幣Ｓを出し入れするための入出機構３８が設けられ、箱体３６の下部には集積紙幣Ｓの量に応じて昇降するエレベータ機構３９が設けられている。
【００４２】
そして、各箱体３６には、それぞれ、背面側の一部に開閉可能な蓋体（箱体開閉手段）４１が設けられている。この蓋体４１とこの蓋体４１を除く箱体３６の箱体本体４２とには、蓋体４１が閉状態にあるとき、これらとは別体の施錠キー４４の嵌合回動動作により蓋体４１を箱体本体４２に対し固定する施錠状態と固定解除して開作動可能にする施錠解除状態とに切換可能な施錠機構部（施錠手段）４５が設けられている。つまり、蓋体４１は閉状態で施錠キー４４および施錠機構部４５によって施錠および施錠解除可能に設けられている。なお、施錠キー４４および施錠機構部４５が、蓋体４１を施錠する施錠回動位置にあるときは、施錠キー４４が施錠状態にある施錠機構部４５から引き抜き可能とされており、施錠キー４４および施錠機構部４５が、扉体１６の施錠を解除する施錠解除回動位置にあるときは、施錠キー４４が施錠解除状態にある施錠機構部４５から引き抜き不可とされている。さらに、施錠キー４４および施錠機構部４５が回動途中にあるときも、施錠キー４４が施錠機構部４５から引き抜き不可とされている。箱体３６は、蓋体４１が開状態にあるときに紙幣Ｓが出し入れされる。
【００４３】
そして、紙幣処理機１１には、盗難発生時等の異常発生時にすべてのスタッカ１３内に収納された紙幣Ｓに焦げ跡を付ける処理機側の図１に示す焦げ跡形成装置（焦げ跡形成手段）２１が設けられている。
【００４４】
この焦げ跡形成装置２１は、図２および図３に示すように、各スタッカ１３の箱体３６内においてガイド側板３７に紙幣Ｓの集積方向に沿って延在するように取り付けられた帯状の複数具体的には４つの加熱部材２２が、それぞれ集積された紙幣Ｓに同時に接触可能に設けられており、これら加熱部材２２は内蔵された電熱線の発熱によって紙幣Ｓに焦げ跡を付ける。
【００４５】
なお、すべての加熱部材２２は、それぞれ、入出金機構３８とエレベータ機構３９との間に集積状態で紙幣Ｓが満杯まで収納されているときに、紙幣Ｓの集積方向における両端部よりも外側に延出する長さを有しており、この結果、すべての加熱部材２２は、それぞれが箱体３６内に満杯まで収納された紙幣Ｓのすべてに接触可能となる。そして、すべての加熱部材２２は、発熱時に接触するすべての紙幣Ｓの端縁部に焦げ跡を付けるようになっている。
【００４６】
ここで、加熱部材２２のうちの１つ以上が一つのガイド側板３７に単独で設けられ、また、加熱部材２２のうちの１つ以上が一つのガイド側板３７に他の加熱部材２２とともに設けられて、さらに、加熱部材２２のうちの１つ以上が他の加熱部材２２とは異なるガイド側板３７に設けられることになる。具体的には、ガイド側板３７のうち紙幣Ｓの長手方向に沿って延在する一方の端縁部Ｓａを案内するガイド側板３７に、箱体３６内のすべての紙幣Ｓのこのガイド側板３７に対向する端縁部Ｓａに接触するように加熱部材２２が二つ設けられており、紙幣Ｓの長手方向に沿って延在する他方の端縁部Ｓｂを案内するガイド側板３７に、箱体３６内のすべての紙幣Ｓのこのガイド側板３７に対向する端縁部Ｓｂに接触するように加熱部材２２が一つのみ設けられていて、紙幣Ｓの短手方向に沿って延在する一の端縁部Ｓｃを案内するガイド側板３７に、箱体３６内のすべての紙幣Ｓのこのガイド側板３７に対向する端縁部Ｓｃに接触するように加熱部材２２が一つのみ設けられている。これにより、焦げ跡形成装置２１は、すべての加熱部材２２を発熱させると、箱体３６内に収納されたすべての紙幣Ｓのそれぞれに対し複数の位置に同時に焦げ跡を付けることになり、しかも箱体３６内に収納されたすべての紙幣Ｓのそれぞれに対し、異なる複数の端縁部に同時に焦げ跡を付けることになる。
【００４７】
ここで、加熱部材２２はスタッカ１３の箱体３６に設けられたコネクタ２３に電気的に接続されており、図１に示すように、このコネクタ２３はスタッカ１３が載置部１４に載置されることで筐体１２側のコネクタ２４に電気的に接続されるようになっている。
【００４８】
焦げ跡形成装置２１は、扉体１６が開状態にあるか閉状態にあるかを検出する扉体開閉状態センサ（開閉状態検出手段）２６と、施錠機構部１９が施錠回動位置にあって扉体１６を施錠する施錠状態にあるか施錠解除回動位置にあって扉体１６の施錠を解除する施錠解除状態にあるかを検出する施錠状態センサ（施錠状態検出手段）２７と、筐体１２の設置後の移動量を検出する移動量検出センサ（移動量検出手段）２８と、これら扉体開閉状態センサ２６、施錠状態センサ２７および移動量検出センサ２８の検出状態に応じて加熱部材２２への給電および給電停止を切り換える制御部（制御手段，充電手段）２９と、筐体１２に設けられたすべてのコネクタ２４と制御部２９とを電気的に接続させる配線部３０とを有している。なお、制御部２９は、すべてのスタッカ１３よりも後側のスペース２０に配置されている。
【００４９】
ここで、移動量検出センサ２８は、所定の設置場所に設置された紙幣処理機１１と紙幣処理機１１が載置されるフロア３１との間に架設されるもので、所定の設置場所に紙幣処理機１１があるか、所定の設置場所から紙幣処理機１１が離間した状態にあるかを検出するものである。なお、移動量検出センサ２８は、地震の揺れ程度では所定の設置場所から紙幣処理機１１が離間した状態にあると判定することがないようにその検出レベル等が設定されている。
【００５０】
さらに、焦げ跡形成装置２１は、別体の切換キー（作動切換手段）３２の嵌合回動動作によって信号が切り換えられる切換検出部（作動切換手段）３３を有しており、制御部２９は、この切換検出部３３からの信号に応じて移動量検出センサ２８の作動および作動停止を切換可能となっている。なお、切換キー３２は、移動量検出センサ２８を作動状態とする作動回動位置および作動停止状態とする作動停止回動位置のいずれにおいても切換検出部３３から引き抜き可能とされており、回動途中では引き抜き不可とされている。
【００５１】
また、筐体１２内には、図示せぬ商用電源からの給電が停止される停電時においても、焦げ跡形成装置２１の扉体開閉状態センサ２６、施錠状態センサ２７、移動量検出センサ２８、切換検出部３３および制御部２９に電力を供給しこれらを通常通り作動可能な状態とするバッテリ３４が上記スペース２０において制御部２９の下側に設けられている。つまり、バッテリ３４は筐体１２に内蔵されている。なお、制御部２９は、図示せぬ商用電源からの給電がある状態では常に満充電状態とするように商用電源からバッテリ３４に充電を行う。
【００５２】
すべてのスタッカ１３にも、それぞれ、図２および図３に示すように、盗難発生時等の異常発生時に箱体３６に収納された紙幣Ｓに焦げ跡を付けるスタッカ用の焦げ跡形成装置（焦げ跡形成手段）４７が設けられている。これらの焦げ跡形成装置４７は、加熱部材２２を上記した焦げ跡形成装置２１と共用するもので、蓋体４１が開状態にあるか閉状態にあるかを検出する蓋体開閉状態センサ（開閉状態検出手段）５６と、施錠機構部４５が施錠回動位置にあって扉体１６を施錠する施錠状態にあるか施錠解除回動位置にあって扉体１６の施錠を解除する施錠解除状態にあるかを検出する施錠状態センサ（施錠状態検出手段）５７と、これら蓋体開閉状態センサ５６および施錠状態センサ５７の検出状態に応じて加熱部材２２への給電および給電停止を切り換える制御部（制御手段，充電手段）５８とを有している。なお、制御部５８は、スタッカ１３の紙幣Ｓが集積されるスペースよりも下側つまりエレベータ機構３９よりも下側のスペース５１に配置されている。
【００５３】
また、各スタッカ１３において、それぞれの箱体３６内には、図示せぬ商用電源からの給電が停止される停電時においても、焦げ跡形成装置４７の蓋体開閉状態センサ５６、施錠状態センサ５７および制御部５８に電力を供給しこれらを通常通り作動可能な状態とするバッテリ５９が上記スペース５１に配置されている。つまり、バッテリ５９は箱体３６に内蔵されている。なお、制御部５８は、図示せぬ商用電源からの給電がある状態では常に満充電状態とするように商用電源からバッテリ５９に充電を行う。
【００５４】
次に、紙幣処理機１１の作動について説明する。なお、紙幣処理機１１用の焦げ跡形成装置２１は商用電源から給電可能な状態では商用電源から給電されることになり、商用電源から給電不可な停電状態ではバッテリ３４から自動的に給電される。
【００５５】
焦げ跡形成装置２１の制御部２９は、扉体開閉状態センサ２６により扉体１６の開状態が検出される扉体１６の開放時には、常に施錠状態センサ２７により施錠機構部１９が施錠解除状態および施錠状態のいずれにあるかを監視しており、施錠機構部１９の施錠解除状態が検出される通常時は異常なしと判定してすべてのスタッカ１３のすべての加熱部材２２への給電停止の状態を維持する。つまり、スタッカ１３の出し入れ等のため紙幣処理機１１の筐体１２に対し扉体１６が正規に開放された場合には、加熱部材２２を給電停止状態に維持し、加熱部材２２が発熱するのを規制する。
【００５６】
他方、制御部２９は、扉体開閉状態センサ２６により扉体１６の開状態が検出されたときに、施錠状態センサ２７により施錠機構部１９の施錠状態が検出された場合には、異常発生と判定してすべてのスタッカ１３のすべての加熱部材２２に商用電源またはバッテリ３４からの電力を給電する。すると、すべての加熱部材２２が発熱してスタッカ１３の箱体３６に収納されているすべての紙幣Ｓの複数の異なる端縁部に焦げ跡を付ける。つまり、例えば設置場所で紙幣処理機１１の扉体１６を無理矢理こじ開けた場合等、紙幣処理機１１の筐体１２に対し扉体１６が不正に開放された場合には、制御部２９がすべてのスタッカ１３のすべての加熱部材２２に給電し、すべてのスタッカ１３内のすべての紙幣Ｓの端縁部に焦げ跡を付けるのである。
【００５７】
また、制御部２９は、切換キー３２の嵌合回動動作により移動量検出センサ２８が作動状態とされた状態において、移動量検出センサ２８により筐体１２の設置後の移動量が所定量以上になったことが検出されると異常発生と判定してすべてのスタッカ１３のすべての加熱部材２２に商用電源またはバッテリ３４からの電力を給電する。すると、すべての加熱部材２２が発熱してスタッカ１３の箱体３６に収納されているすべての紙幣Ｓの複数の異なる端縁部に焦げ跡を付ける。つまり、例えば設置場所から紙幣処理機１１ごと盗もうとした場合等、紙幣処理機１１が設置場所から動かされると、制御部２９がすべてのスタッカ１３のすべての加熱部材２２に給電し、すべてのスタッカ１３内のすべての紙幣Ｓの端縁部に焦げ跡を付けるのである。
【００５８】
なお、切換キー３２の嵌合回動動作により移動量検出センサ２８が作動停止させられた状態では、筐体１２の設置後の移動量が所定量以上になってもこれが検出されることはなく、よって制御部２９は異常発生と判定せず、スタッカ１３内に収納された紙幣Ｓに焦げ跡をつけることはない。つまり、紙幣処理機１１の正規の移動時に、焦げ跡形成装置２１が異常発生と判定して紙幣Ｓに焦げ跡を付けることがないようになっている。
【００５９】
次に、スタッカ１３の作動について説明する。なお、スタッカ１３用の焦げ跡形成装置４７は商用電源から給電可能な状態では商用電源から給電されることになり、商用電源から給電不可な停電状態ではバッテリ５９から自動的に給電される。
【００６０】
焦げ跡形成装置４７の制御部５８は、蓋体開閉状態センサ５６により蓋体４１の開状態が検出される蓋体４１の開放時には、常に施錠状態センサ５７により施錠機構部４５が施錠解除状態および施錠状態のいずれにあるかを監視しており、施錠機構部４５が施錠解除状態にある通常時は異常なしと判定して箱体３６のすべての加熱部材２２への給電停止の状態を維持する。つまり、紙幣Ｓの出し入れ等のために箱体３６の蓋体４１が正規に開放された場合には、加熱部材２２を給電停止状態に維持し、加熱部材２２が発熱するのを規制する。
【００６１】
他方、制御部５８は、蓋体開閉状態センサ５６により蓋体４１の開状態が検出されたときに、施錠状態センサ５７により施錠機構部４５の施錠状態が検出された場合には、異常発生と判定して箱体３６のすべての加熱部材２２に商用電源またはバッテリ５９からの電力を給電する。すると、すべての加熱部材２２が発熱して箱体３６に収納されているすべての紙幣Ｓの複数の異なる端縁部に焦げ跡を付ける。つまり、例えば運搬途中等においてスタッカ１３が盗み出され、その後、スタッカ１３の蓋体４１を無理矢理こじ開けた場合等、スタッカ１３の箱体３６に対し蓋体４１が不正に開放された場合には、制御部５８が箱体３６のすべての加熱部材２２に給電し、箱体３６のすべての紙幣Ｓの端縁部に焦げ跡を付けるのである。
【００６２】
ここで、以上の焦げ跡形成装置２１，４７のいずれにおいても、加熱部材２２の加熱時間および加熱温度は、紙幣Ｓが発火せず焦げ跡が付く程度に設定されている。
【００６３】
以上に述べた紙幣処理機１１は、以下の効果を奏することができる。
【００６４】
異常発生時に焦げ跡形成装置２１がすべてのスタッカ１３内に収納された紙幣Ｓに焦げ跡を付けることになるため、その後は、この焦げ跡から盗難紙幣であることが容易に見分けられることになる。したがって、このような紙幣は盗んでも使用できないことから、盗難自体が意味のないものとなり抑止される。しかも、焦げ跡は洗浄等しても取り去ることができない。
【００６５】
具体的には、扉体１６が不正に開放されると、施錠機構部１９が施錠解除状態にはないことから、扉体開閉状態センサ２６で扉体１６の開状態が検出されかつ施錠状態センサ２７で施錠機構部１９の施錠状態が検出され、これにより、焦げ跡形成装置２１が異常発生と判定して、すべてのスタッカ１３内に収納された紙幣Ｓに焦げ跡を付けることになるため、その後は、この焦げ跡から盗難紙幣であることが容易に見分けられることになる。したがって、このような紙幣は盗んでも使用できないことから、扉体１６を不正に開放して行う盗難自体が意味のないものとなり抑止される。
【００６６】
さらに、紙幣処理機１１が筐体１２ごと持ち去られるような事態が生じた場合に、移動量検出センサ２８によって検出される筐体１２の設置後の移動量が所定量以上になり、焦げ跡形成装置２１が異常発生と判定して、すべてのスタッカ１３内に収納された紙幣Ｓに焦げ跡を付けることになるため、その後は、この焦げ跡から盗難紙幣であることが容易に見分けられることになる。したがって、このような紙幣も盗んでも使用できないことから、筐体１２ごと持ち去るような盗難自体が意味のないものとなり抑止される。
【００６７】
また、切換キー３２の嵌合回動動作によって移動量検出センサ２８を作動停止させておけば、焦げ跡形成装置２１は筐体１２の設置後の移動量が所定量以上になっても異常発生と判定しないことになる。よって、筐体１２の正規の移動時に焦げ跡形成装置２１が異常発生と判定してスタッカ１３内の紙幣Ｓに焦げ跡を付けてしまうことを防止できる。
【００６８】
加えて、停電時においても、紙幣処理機１１に内蔵されたバッテリ３４から焦げ跡形成装置２１に電力を供給することができるため、異常発生時にすべてのスタッカ１３内に収納されたすべての紙幣Ｓに焦げ跡を付けることになる。したがって、停電状態にしても意味がないため盗難の抑止効果がさらに優れることになる。
【００６９】
制御部２９がバッテリ３４に常に満充電となるように商用電源からの電力を充電するため、バッテリ３４を常に満充電状態に維持しておくことができる。
【００７０】
さらに、焦げ跡形成装置２１がすべてのスタッカ１３内に収納されたすべての紙幣Ｓのそれぞれに対し複数の位置に焦げ跡を付けるため、焦げ跡の位置が特徴的となって、盗難紙幣であることがさらに容易に見分けられることになる。
【００７１】
加えて、焦げ跡形成装置２１がすべてのスタッカ１３内に収納されたすべての紙幣Ｓのそれぞれに対し異なる複数の端縁部に焦げ跡を付けるため、焦げ跡をより視認しやすくなり、盗難紙幣であることがさらに容易かつ確実に見分けられることになる。
【００７２】
通常時は、焦げ跡形成装置２１の制御部２９が加熱部材２２に給電しないため、加熱部材２２は発熱せず、よってすべてのスタッカ１３内のすべての紙幣Ｓに対し焦げ跡が付けられることはない。一方、異常発生時は、焦げ跡形成装置２１の制御部２９が加熱部材２２に給電することになるため、加熱部材２２が発熱し、よってすべてのスタッカ１３内のすべての紙幣Ｓに焦げ跡が付けられることになる。このように、簡素な構成で異常発生時に焦げ跡をすべてのスタッカ１３内のすべての紙幣Ｓに付けることができる。
【００７３】
本実施形態のスタッカ１３は、以下の効果を奏することができる。
【００７４】
異常発生時には焦げ跡形成装置４７が箱体３６内に収納されたすべての紙幣Ｓに焦げ跡を付けることになるため、その後は、この焦げ跡から盗難紙幣であることが容易に見分けられることになる。したがって、このような紙幣は盗んでも使用できないことから、盗難自体が意味のないものとなり抑止される。しかも、焦げ跡は洗浄等では取り去ることができない。
【００７５】
具体的には、蓋体４１が不正に開放されると、施錠機構部４５が施錠解除状態にはないことから、蓋体開閉状態センサ５６で蓋体４１の開状態が検出されかつ施錠状態センサ５７で施錠機構部４５の施錠状態が検出され、これにより、焦げ跡形成装置４７が異常発生と判定して箱体３６内に収納されたすべての紙幣Ｓに焦げ跡を付けることになるため、その後は、この焦げ跡から盗難紙幣であることが容易に見分けられることになる。したがって、このような紙幣は盗んでも使用できないことから、スタッカ１３を盗み蓋体４１を不正に開放して行う盗難自体が意味のないものとなり抑止される。
【００７６】
加えて、停電時においても、スタッカ１３に内蔵されたバッテリ５９から焦げ跡形成装置４７に電力を供給することができるため、異常発生時に箱体３６内に収納されたすべての紙幣Ｓに焦げ跡を付けることになる。したがって、停電状態にしても意味がないため盗難の抑止効果がさらに優れることになる。
【００７７】
制御部５８がバッテリ５９が常に満充電となるように商用電源からの電力を充電するため、バッテリ５９を常に満充電状態に維持しておくことができる。
【００７８】
さらに、焦げ跡形成装置４７が箱体３６内に収納されたすべての紙幣Ｓのそれぞれに対し複数の位置に焦げ跡を付けるため、焦げ跡の位置が特徴的となって、盗難紙幣であることがさらに容易に見分けられることになる。
【００７９】
加えて、焦げ跡形成装置４７が箱体３６内に収納されたすべての紙幣Ｓのそれぞれに対し異なる複数の端縁部に焦げ跡を付けるため、焦げ跡をより視認しやすくなり、盗難紙幣であることがさらに容易かつ確実に見分けられることになる。
【００８０】
さらに、通常時は、焦げ跡形成装置４７の制御部５８が加熱部材２２に給電しないため、加熱部材２２は発熱せず、よって箱体３６内のすべての紙幣Ｓに対し焦げ跡が付けられることはない。一方、異常発生時は、焦げ跡形成装置４７の制御部５８が加熱部材２２に給電することになるため、加熱部材２２が発熱し、よって箱体３６内のすべての紙幣Ｓに焦げ跡が付けられることになる。このように、簡素な構成で異常発生時に焦げ跡を箱体３６内のすべての紙幣Ｓに付けることができる。
【００８１】
なお、移動量検出センサ２８としてＧＰＳを利用して紙幣処理機１１の位置を検出し紙幣処理機１１が所定量以上移動したか否かを判断するものを用いても良い。
【００８２】
また、紙幣処理機１１に所定量以上の衝撃が加わったか否かを検出する衝撃センサを設け、衝撃センサで所定量以上の衝撃が加わったことが検出された場合に、焦げ跡形成装置２１で焦げ跡をスタッカ１３内の紙幣Ｓに付けるようにしても良い。
【００８３】
加えて、紙幣処理機１１に所定量以上の振動が加わったか否かを検出する振動センサを設け、振動センサで所定量以上の振動が加わったことが検出された場合に、焦げ跡形成装置２１で焦げ跡をスタッカ１３内の紙幣Ｓに付けるようにしても良い。
【００８４】
さらに、紙幣処理機１１が所定量以上に傾斜させられたか否かを検出する傾斜センサを設け、この傾斜センサで所定量以上に傾斜させられたことが検出された場合に、焦げ跡形成装置２１で焦げ跡をスタッカ１３内の紙幣Ｓに付けるようにしても良い。
【００８５】
加えて、焦げ跡形成装置２１，４７で焦げ跡を形成した後、即座に水を箱体３６内で紙幣にかけるようにしても良い。この場合、水を溜め必要により噴出させる装置を例えば箱体３６に設けることになる。
【００８６】
【発明の効果】
以上詳述したように、請求項１に係る発明によれば、異常発生時に焦げ跡形成手段が紙幣収納箱内に収納された紙幣に焦げ跡を付けることになるため、その後は、この焦げ跡から盗難紙幣であることが容易に見分けられることになる。したがって、このような紙幣は盗んでも使用できないことから、盗難自体が意味のないものとなり抑止される。
【００８７】
請求項２に係る発明によれば、筐体開閉手段が不正に開放されると、施錠手段が施錠解除状態にはないことから、開閉状態検出手段で筐体開閉手段の開状態が検出されかつ施錠状態検出手段で施錠手段の施錠状態が検出され、これにより、焦げ跡形成手段が異常発生と判定して紙幣収納箱内に収納された紙幣に焦げ跡を付けることになる。したがって、このような紙幣は盗んでも使用できないことから、筐体開閉手段を不正に開放して行う盗難自体が意味のないものとなり抑止される。
【００８８】
請求項３に係る発明によれば、筐体ごと持ち去られるような事態が生じた場合に、移動量検出手段によって検出される筐体の設置後の移動量が所定量以上になり、焦げ跡形成手段が異常発生と判定して紙幣収納箱内に収納された紙幣に焦げ跡を付けることになる。したがって、このような紙幣は盗んでも使用できないことから、筐体ごと持ち去るような盗難自体が意味のないものとなり抑止される。
【００８９】
請求項４に係る発明によれば、作動切換手段によって移動量検出手段を作動停止させておけば、焦げ跡形成手段は筐体の設置後の移動量が所定量以上になっても異常発生と判定しないことになる。よって、筐体の正規の移動時に焦げ跡形成手段が異常発生と判定して紙幣収納箱内に収納された紙幣に焦げ跡を付けてしまうことを防止できる。
【００９０】
請求項５に係る発明によれば、停電時においても、内蔵されたバッテリから焦げ跡形成手段に電力を供給することができるため、異常発生時に紙幣収納箱内に収納された紙幣に焦げ跡を付けることができる。したがって、停電状態にしても意味がないため盗難の抑止効果がさらに優れることになる。
【００９１】
請求項６に係る発明によれば、バッテリに商用電源からの電力を充電する充電手段を有するため、バッテリを常に満充電状態に維持しておくことが可能となる。
【００９２】
請求項７に係る発明によれば、焦げ跡形成手段が紙幣収納箱内に収納された紙幣のそれぞれに対し複数の位置に焦げ跡を付けるため、焦げ跡の位置が特徴的となって、盗難紙幣であることがさらに容易に見分けられることになる。
【００９３】
請求項８に係る発明によれば、焦げ跡形成手段が紙幣収納箱内に収納された紙幣のそれぞれに対し異なる複数の端縁部に焦げ跡を付けるため、焦げ跡をより視認しやすくなり、盗難紙幣であることがさらに容易かつ確実に見分けられることになる。
【００９４】
請求項９に係る発明によれば、通常時は、焦げ跡形成手段の制御手段が加熱部材に給電しないため、加熱部材は発熱せず、よって紙幣収納箱内の紙幣に焦げ跡が付けられることはない。一方、異常発生時は、焦げ跡形成手段の制御手段が加熱部材に給電することになるため、加熱部材が発熱し、よって紙幣収納箱内の紙幣に焦げ跡が付けられることになる。このように、簡素な構成で異常発生時に焦げ跡を紙幣収納箱内の紙幣に付けることができる。
【００９５】
請求項１０に係る発明によれば、異常発生時には焦げ跡形成手段が箱体内に収納された紙幣に焦げ跡を付けることになるため、その後は、この焦げ跡から盗難紙幣であることが容易に見分けられることになる。したがって、このような紙幣は盗んでも使用できないことから、盗難自体が意味のないものとなり抑止される。
【００９６】
請求項１１に係る発明によれば、箱体開閉手段が不正に開放されると、施錠手段が施錠解除状態にはないことから、開閉状態検出手段で箱体開閉手段の開状態が検出されかつ施錠状態検出手段で施錠手段の施錠状態が検出され、これにより、焦げ跡形成手段が異常発生と判定して箱体内に収納された紙幣に焦げ跡を付けることになる。したがって、このような紙幣は盗んでも使用できないことから、箱体開閉手段を不正に開放して行う盗難自体が意味のないものとなり抑止される。
【００９７】
請求項１２に係る発明によれば、停電時においても、内蔵されたバッテリから焦げ跡形成手段に電力を供給することができるため、異常発生時に箱体内に収納された紙幣に焦げ跡を付けることができる。したがって、停電状態にしても意味がないため盗難の抑止効果がさらに優れることになる。
【００９８】
請求項１３に係る発明によれば、バッテリに商用電源からの電力を充電する充電手段を有するため、バッテリを常に満充電状態に維持しておくことが可能となる。
【００９９】
請求項１４に係る発明によれば、焦げ跡形成手段が箱体内に収納された紙幣のそれぞれに対し複数の位置に焦げ跡を付けるため、焦げ跡が特徴的となって、盗難紙幣であることがさらに容易に見分けられることになる。
【０１００】
請求項１５に係る発明によれば、焦げ跡形成手段が紙幣収納箱内に収納された紙幣のそれぞれに対し異なる複数の端縁部に焦げ跡を付けるため、焦げ跡をより視認しやすくなり、盗難紙幣であることがさらに容易かつ確実に見分けられることになる。
【０１０１】
請求項１６に係る発明によれば、通常時は、焦げ跡形成手段の制御手段が加熱部材に給電しないため、加熱部材は発熱せず、よって箱体内の紙幣に焦げ跡が付けられることはない。一方、異常発生時は、焦げ跡形成手段の制御手段が加熱部材に給電することになるため、加熱部材が発熱し、よって箱体内の紙幣に焦げ跡が付けられることになる。このように、簡素な構成で異常発生時に焦げ跡を箱体内の紙幣に付けることができる。
【図面の簡単な説明】
【図１】本発明の一実施形態の紙幣処理機を示す側断面図である。
【図２】本発明の一実施形態のスタッカ（紙幣収納箱）を示す側断面図である。
【図３】本発明の一実施形態のスタッカ（紙幣収納箱）を示す平断面図である。
【符号の説明】
１１  紙幣処理機
１２  筐体
１３  スタッカ（紙幣収納箱）
１６  扉体（筐体開閉手段）
１９  施錠機構部（施錠手段）
２１  焦げ跡形成装置（焦げ跡形成手段）
２６  扉体開閉状態センサ（開閉状態検出手段）
２７  施錠状態センサ（施錠状態検出手段）
２８  移動量検出センサ（移動量検出手段）
２９  制御部（連通制御手段）
３３  切換検出部（作動切換手段）
３４  バッテリ
３６  箱体
４１  蓋体（箱体開閉手段）
４４  施錠キー（施錠手段）
４５  施錠機構部（施錠手段）
４７  焦げ跡形成装置（焦げ跡形成手段）
５６  蓋体開閉状態センサ（開閉状態検出手段）
５７  施錠状態センサ（施錠状態検出手段）
５８  制御部（開閉制御手段）
５９  バッテリ
【図１】
2004355270.tif 000003
【図２】
2004355270.tif 000004
【図３】
2004355270.tif 000005